(57)【要約】【課題】フリーズの再指示が容易で、不要な映像を表示する虞の少ないプロジェクタおよびプログラムを提供する。【解決手段】制御部３０は、フリーズの指示を受け付けた場合に、フリーズの指示を受け付けた後の所定の入力画像を投影バッファ４０に展開して、以後の更新を行わない。このため、投影画像は固定される。制御部３０は、フリーズ中、即ち、画像の固定投影中に再度フリーズの指示を受け付けた場合には、投影中の画像に代えて、再度のフリーズの指示を受け付けた後の所定の入力画像を投影バッファ４０に展開し、固定投影する。これにより、フリーズを繰り返して指示すると、指示したタイミングの入力画像が順次固定投影される。【選択図】図１
2013079989.tif 000002
【特許請求の範囲】
【請求項１】
入力画像を受信する受信手段と、
前記受信手段で受信した入力画像を投影する投影手段と、
前記投影手段による投影画像を固定するフリーズの指示を受け付ける受付手段と、
を備え、
前記投影手段は、前記受付手段で前記フリーズの指示を受け付けた場合に、投影画像をその時点の入力画像に固定し、画像の固定投影中に前記フリーズの指示を受け付けた場合には、投影中の画像に代えて、前記フリーズの指示を受け付けた後の所定の入力画像を固定して投影する、
ことを特徴とするプロジェクタ。
【請求項２】
投影中の画像と所定の入力画像とに基づいて転換用画像を生成する転換画像生成手段をさらに備え、
前記投影手段は、
画像の固定投影中にフリーズの指示を受け付けた場合に、前記転換画像生成手段により投影中の画像と前記フリーズの指示を受け付けた後の所定の入力画像とに基づいて生成された転換用画像を投影した後、入力画像を固定して投影する、
ことを特徴とする請求項１に記載のプロジェクタ。
【請求項３】
フリーズの解除の指示を受け付ける解除受付手段をさらに備え、
前記投影手段は、
画像の固定投影中にフリーズの解除の指示を受け付けた場合に、前記転換画像生成手段により投影中の画像と入力画像とに基づいて生成された転換用画像を投影した後、入力画像を投影する、
ことを特徴とする請求項２に記載のプロジェクタ。
【請求項４】
前記受付手段でフリーズの指示を受け付けた後、所定の時間以上、前記入力画像が変化しておらず且つ投影画像と所定の時間以上変化していない前記入力画像とが異なるかどうかを判定する判定手段をさらに備え、
前記投影手段は、前記判定手段が、前記入力画像が所定の時間以上変化しておらず且つ投影中の画像と所定の時間以上変化していない入力画像とが異なると判定した場合に、当該入力画像を固定して投影する、
ことを特徴とする請求項１、２または３に記載のプロジェクタ。
【請求項５】
投影装置を制御するコンピュータに、
投影画像を固定するフリーズの指示を受け付け、受け付けたフリーズの指示に応答して、投影画像を前記フリーズの指示を受け付けた後の所定の入力画像に固定し、画像の固定投影中にフリーズの指示を受け付けた場合には、投影中の画像に代えて、前記画像の固定投影中にフリーズの指示を受け付けた後の所定の入力画像を固定して投影する、
処理を実行させるコンピュータプログラム。
【発明の詳細な説明】
【技術分野】
【０００１】
本発明は、プロジェクタおよびプログラムに関する。
【背景技術】
【０００２】
プロジェクタの中には、特定の時点の入力画像を投影し続けるフリーズ機能を備えるものがある（特許文献１参照）。プロジェクタは、フリーズが指示されると、上位装置から供給される画像が更新されても、記憶している１フレーム分の画像を更新すること無く繰り返し投影する。
【先行技術文献】
【特許文献】
【０００３】
【特許文献１】特開２００６−２１５１４６号公報
【発明の概要】
【発明が解決しようとする課題】
【０００４】
従来のプロジェクタでは、フリーズ中に再度フリーズを指示したい場合、フリーズを一旦解除した後に、再度フリーズを指示する必要がある。このため、再フリーズを指示する操作が煩雑である。また、フリーズを解除した際に、一次的に、投影したくない画像が投影されてしまう虞がある。
【０００５】
本発明は、上述のような事情に鑑みてなされたものであり、フリーズの再指示が容易で、不要な映像を表示する虞の少ないプロジェクタおよびプログラムを提供することを目的とする。
【課題を解決するための手段】
【０００６】
上記目的を達成するため、本発明に係るプロジェクタは、
入力画像を受信する受信手段と、
前記受信手段で受信した入力画像を投影する投影手段と、
前記投影手段による投影画像を固定するフリーズの指示を受け付ける受付手段と、
を備え、
前記投影手段は、前記受付手段で前記フリーズの指示を受け付けた場合に、投影画像をその時点の入力画像に固定し、画像の固定投影中に前記フリーズの指示を受け付けた場合には、投影中の画像に代えて、前記フリーズの指示を受け付けた後の所定の入力画像を固定して投影する、
ことを特徴とする。
【発明の効果】
【０００７】
本発明によれば、フリーズの再指示が容易で、不要な映像を表示する虞の少ないプロジェクタおよびプログラムを提供することが可能となる。
【図面の簡単な説明】
【０００８】
【図１】本発明の実施の形態１に係るプロジェクタ装置のブロック図である。
【図２】実施の形態１に係るプロジェクタ装置の制御部のブロック図である。
【図３】実施の形態１に係るプロジェクタ装置の制御部の投影制御動作のフローチャートである。
【図４】実施の形態１に係るプロジェクタ装置の制御部の操作信号受信時の処理のフローチャートである。
【図５】実施の形態１に係るプロジェクタ装置の動作を説明するためのタイミングチャートであり、（ａ）は、フリーズボタンを複数回連続して操作した場合の動作を、（ｂ）は、フリーズボタン操作後、フリーズ解除ボタンを操作した後、フリーズボタンを再操作した際の動作を示す。
【図６】本発明の実施の形態２に係るプロジェクタ装置の制御部のブロック図である。
【図７】実施の形態２に係るプロジェクタ装置の制御部が、フリーズボタン又はフリーズ解除ボタンが操作された際に実行する画像転換処理動作のフローチャートである。
【図８】本発明の実施の形態３に係るプロジェクタ装置の制御部が、フリーズ中に実行する、フリーズ中制御動作のフローチャートである。
【図９】実施の形態３に係るプロジェクタ装置の動作を説明するためのタイミングチャートである。
【発明を実施するための形態】
【０００９】
以下、本発明の実施の形態について図面を参照して詳細に説明する。
【００１０】
（実施の形態１）
まず、本発明の実施の形態１に係るフリーズ機能を備えるプロジェクタ装置１を説明する。
プロジェクタ装置１は、コンピュータ等の外部装置から供給される画像（入力画像）をスクリーンに投影する装置であり、フリーズが指示される度に、フリーズが指示された後の所定の入力画像、例えばフリーズが指示された、その時点で外部装置から供給されている画像を固定して投影する機能を備える。
プロジェクタ装置１は、図１に示すように、画像受信部１０、操作部２０、制御部３０、投影バッファ４０、および投影部５０を備える。
【００１１】
画像受信部１０は、アナログＲＧＢ信号等の画像信号を外部装置から受信し、受信した画像信号を、Ａ／Ｄ（アナログデジタル）変換する等、制御部３０で処理できる形式の画像データに変換し、制御部３０に供給する。
【００１２】
操作部２０は、ユーザによって操作される複数の操作ボタン等を備え、操作ボタンの押操作に応じて、操作内容を示す操作信号を制御部３０に供給する。操作部２０は、投影画像を固定するためのフリーズを指示するフリーズボタン２０Ａと、フリーズの解除を指示するフリーズ解除ボタン２０Ｂとを備える。
【００１３】
制御部３０は、操作部２０から供給される操作信号による指示に従って、画像受信部１０から供給された画像データを処理し、投影バッファ４０に投影対象画像を定義する投影データを展開する。
【００１４】
制御部３０は、図２に示すように、プロセッサ３１、記憶部３２、入出力インタフェース３３、およびバス３４を備える。
【００１５】
プロセッサ３１は、ＣＰＵ（Central Processing Unit）、内部メモリなどを備える。プロセッサ３１は、記憶部３２に記憶されている動作プログラムを実行し、画像受信部１０から供給された画像データに台形補正等の処理を施して生成した投影データを投影バッファ４０に展開する等、プロジェクタ装置１の一般的な投影動作を制御する。また、プロセッサ３１は、フリーズボタン２０Ａの操作に応答して、その時点の画像データから生成した投影データを投影バッファ４０に展開するフリーズ処理を実行する。投影動作とフリーズ処理の詳細については後述する。
【００１６】
記憶部３２は、ＲＡＭ (Random Access Memory)、フラッシュメモリ等から構成され、プロセッサ３１の処理プログラムを記憶すると共にプロセッサ３１のワークメモリとして機能する。また、記憶部３２は、投影画像を固定する（更新を停止する）フリーズ中であるか否かを示すフリーズフラグＦを格納する。
【００１７】
入出力インタフェース３３は、画像受信部１０からの画像データ及び操作部２０からの操作信号を受信して、プロセッサ３１に供給する。また、入出力インタフェース３３は、プロセッサ３１が出力した投影データを投影バッファ４０に供給する。
【００１８】
すなわち、画像受信部１０が画像データを入出力インタフェース３３を介してプロセッサ３１に供給し、プロセッサ３１が上述の所定の処理を施して投影データを入出力インタフェース３３を介してバッファ４０に展開する。また例えば操作部２０のフリーズボタン２０Ａが操作信号を入出力インタフェース３３を介してプロセッサ３１に送信し、プロセッサ３１は、後述するように記憶部３２のフリーズフラグＦのセットを行い、フリーズボタン２０Ａの操作に応答して、その時点の画像データから生成した投影データを入出力インタフェース３３を介してバッファ４０に展開する。
【００１９】
バス３４は、プロセッサ３１、記憶部３２、入出力インタフェース３３の間でデータを伝送する。
【００２０】
投影バッファ４０は、ＲＡＭ等から構成され、投影対象のフレーム画像を、例えば、ビットマップ形式で展開する。投影バッファ４０は、例えば、ＲＧＢ３原色について、それぞれ、２画像フレーム分の記憶領域が確保されており、一方の画像フレーム用領域に書き込まれたデータを表示中に、他方の画像フレーム用領域への書き込みが行われる。
【００２１】
投影部５０は、表示装置、光源、投影光学系などを備え、投影バッファ４０に展開された画像データにより定義される画像を表示し、表示した画像をスクリーン等に投影する。
【００２２】
次に、上記構成を有するプロジェクタ装置１の動作を説明する。
プロジェクタ装置１により画像を投影する場合、ユーザは、外部装置とプロジェクタ装置１の画像受信部１０とをケーブル等で接続し、ＲＧＢ映像信号等の画像信号を外部装置からプロジェクタ装置１に供給する。プロジェクタ装置１の画像受信部１０は、供給された画像信号を受信し、Ａ／Ｄ変換等を施して、画像データを制御部３０に供給する。
【００２３】
制御部３０のプロセッサ３１は、図３に示す投影制御処理を継続的に実行しており、まず、入出力インタフェース３３を介して画像受信部１０から供給された画像データを受信する（ステップＳ１１）。
【００２４】
次に、プロセッサ３１は、投影画像を固定するフリーズ中であるか否かを、フリーズフラグＦが記憶部３２にセットされているか否かにより判別する（ステップＳ１２）。なお、フリーズフラグＦのセット・リセットについては、後述する。
【００２５】
フリーズフラグＦがリセットされており、フリーズ中でないと判別した場合（ステップＳ１２：ＮＯ）、プロセッサ３１は、ステップＳ１１で受信した画像データに、台形補正等の所定の処理を施して投影データを生成し、投影バッファ４０に展開する（ステップＳ１３）。その後、処理は、ステップＳ１１にリターンする。
【００２６】
一方、フリーズフラグＦがセットされており、フリーズ中であると判別した場合（ステップＳ１２：ＹＥＳ）、ステップＳ１３をスキップして、ステップＳ１１にリターンする。
【００２７】
投影部５０は、表示フレーム毎に、投影バッファ４０に展開された投影データを読み出し表示し、これを投影する。
【００２８】
一方、ユーザが操作部２０上のボタンを操作すると、操作部２０は、操作信号を制御部３０に出力する。制御部３０の入出力インタフェース３３は、操作信号の受信をプロセッサ３１に通知する。プロセッサ３１は、通知に応答して、図４に示す操作信号受信処理を開始し、まず、ユーザによる操作の内容を判別する（ステップＳ２１）。
【００２９】
フリーズボタン２０Ａが操作されたと判別した場合（ステップＳ２１：フリーズ）、プロセッサ３１は、その時点の画像データの１フレーム分に必要な処理を施して投影データを生成し、投影バッファ４０に展開する（ステップＳ２２）。次に、プロセッサ３１は、フリーズフラグＦを記憶部３２にセットし（ステップＳ２３）、処理を終了する。これにより、以後、フリーズフラグＦがリセットされるまで、図３に示す投影制御処理においてステップＳ１２でＹＥＳと判別され、ステップＳ１３がスキップされるため、投影バッファ４０への投影データの展開は行われず、図４のステップＳ２２で展開した投影データが投影され続ける。このため、投影画像は、画像信号の変化にかかわらず、固定される。
【００３０】
一方、ステップＳ２１で、フリーズ解除ボタン２０Ｂが操作されたと判別した場合（ステップＳ２１：フリーズ解除）、プロセッサ３１は、記憶部３２にセットされているフリーズフラグＦをリセットし（ステップＳ２４）、処理を終了する。これにより、以後、図３に示す投影制御処理においてステップＳ１２でＮＯと判別され、ステップＳ１３が実行されるため、投影バッファ４０に投影データが順次展開される。このため、画像信号の変化に応じて、投影データも更新される。
【００３１】
なお、図４のステップＳ２１で、フリーズボタン２０Ａおよびフリーズ解除ボタン２０Ｂの操作以外の操作であると判別された場合（ステップＳ２１：その他）、操作内容に対応する処理（ステップＳ２５）を実行し、処理を終了する。
【００３２】
以上の動作が実行されることにより、図５（ａ）のタイミングチャートに示すように、例えば、投影動作中に、フリーズボタン２０ＡがタイミングＴａで押下された場合、以後、投影画像は更新されず、タイミングＴａでプロジェクタ装置１に供給されていた画像が固定的に投影される。このフリーズ状態において、タイミングＴｂでフリーズボタン２０Ａが再度押下された場合、タイミングＴｂでプロジェクタ装置１に供給されていた画像に書き換えられ、以後固定的に投影される。
【００３３】
制御部３０は、フリーズの指示を受け付けた場合に、その時点の入力画像から生成した投影データを投影バッファ４０に展開して、以後の更新を行わない。このように、フリーズ中、即ち、画像の固定投影中に再度フリーズの指示を受け付けた場合には、投影中の画像に代えて、その時点の入力画像が固定投影される。即ち、フリーズを繰り返して指示すると、指示したタイミングの入力画像が順次固定投影される。従って、このように、フリーズ中に再フリーズを指示する操作が容易である。
【００３４】
一方、従来のプロジェクタのように、フリーズを一旦解除してからフリーズを再度指示する場合、図５（ｂ）に示すように、タイミングＴｃでフリーズボタン２０Ａを押下すると、タイミングＴｃでプロジェクタ装置１に供給されていた画像が投影される。その後フリーズを一旦解除してからフリーズを再度指示すると、タイミングＴｄでフリーズ解除ボタン２０Ｂを押下してフリーズを解除してから、フリーズボタン２０Ａを押下するタイミングＴｅまでの間に、入力画像がそのまま表示されてしまう。このため、意図しない画像を投影してしまう虞がある。
【００３５】
以上説明したように、本実施の形態１に係るプロジェクタ装置１によれば、フリーズボタン２０Ａが操作されて、フリーズが指示されると、その時点での入力画像が投影される。従って、フリーズ中に再度フリーズを指示する場合の操作が容易であり、操作性が高い。また、フリーズ時の不要画像の表示、漏洩を防止することが可能となる。
【００３６】
（実施の形態２）
実施の形態１に係るプロジェクタ装置１においては、フリーズ中に再度フリーズが指示された場合或いはフリーズが解除された場合、時間的に不連続の画像を単純に切り替えて投影する。この画像変化により、観者に違和感を与える虞がある。このような問題を解決するため、例えばフリーズ中に再フリーズする際及び／又はフリーズを解除する際に、ワイプ、スライドイン、ディゾルブなどの画面切替効果処理（画面転換技法）を施して投影することも可能である。
【００３７】
以下、このような画像処理機能を備えるプロジェクタ装置１について説明する。
実施の形態２に係るプロジェクタ装置１の基本構成は、実施の形態１に係るプロジェクタ装置１と同一である。ただし、制御部３０は、画面切替効果処理（画面転換処理）を実行する画面効果処理部として機能するため、図６に示すように、記憶部３２が画面転換前の画像データと画面転換後の画像データを記憶する。
【００３８】
本実施の形態において、上記構成を有する制御部３０は、操作ボタンが操作された場合に、その内容を判別し、フリーズボタン２０Ａ又はフリーズ解除ボタン２０Ｂが操作されたと判別すると、図７に示す画面転換処理を開始する。
【００３９】
まず、制御部３０のプロセッサ３１は、操作されたボタンがフリーズボタン２０Ａであるか、フリーズ解除ボタン２０Ｂであるかを判別する（ステップＳ３１）。
【００４０】
フリーズボタン２０Ａが操作されたと判別した場合（ステップＳ３１：フリーズ）、フリーズ中であるか否かを判別する（ステップＳ３２）。
【００４１】
フリーズフラグＦがリセットされており、フリーズ中でないと判別した場合、即ち、新たにフリーズが指示されたと判別した場合（ステップＳ３２：ＮＯ）、その時点の画像データの１フレーム分に必要な処理を施して投影データを生成し、投影バッファ４０に展開すると共に記憶部３２の第１フレームメモリに格納する（ステップＳ３３）。続いて、プロセッサ３１は、記憶部３２にフリーズフラグＦをセットする（ステップＳ３４）。
【００４２】
一方、ステップＳ３２で、フリーズフラグＦがセットされており、フリーズ中であると判別した場合、即ち、フリーズ中に再フリーズが指示されたと判別した場合（ステップＳ３２：ＹＥＳ）、その時点の画像データの１フレーム分に必要な処理を施して投影データを生成し、記憶部３２の第２フレームメモリに格納する（ステップＳ３５）。
【００４３】
続いて、予め設定されている画面切替効果（画面転換処理）の種類に応じて、第１フレームメモリに格納されているフレーム画像（今まで投影されていた画像）の画像データと第２フレームメモリに格納されているフレーム画像（今後投影すべき画像）の画像データとを用いて、画像効果を施した転換用画像の画像データを生成し、投影バッファ４０に展開する（ステップＳ３６）。
【００４４】
次に、画像切替処理が終了したか否かを判別し（ステップＳ３７）、終了していなければ（ステップＳ３７：ＮＯ）、ステップＳ３６にリターンして、同様の動作を繰り返す。
【００４５】
これにより、例えば、第１フレームバッファに記憶されている切り替え前の画像をＭ％と第２フレームバッファに記憶されている切り替え後の画像を（１００−Ｍ）％で混合して転換用画像を生成し、Ｍの値を０から１００まで順次増加させながら転換用画像を生成して投影するといった処理が可能となる。
【００４６】
画像切替処理が終了したと判別した場合は（ステップＳ３７：ＹＥＳ）、今後の処理のために、第２フレームバッファに記憶されている切り替え後の画像を第１フレームバッファに移動し（ステップＳ３８）、処理を終了する。
【００４７】
一方、ステップＳ３１で、操作の内容がフリーズ解除ボタン２０Ｂの操作であると判別した場合（ステップＳ３１：フリーズ解除）、フリーズ中であるか否かを判別する（ステップＳ３９）。フリーズフラグＦがリセットされており、フリーズ中でないと判別した場合（ステップＳ３９：ＮＯ）、そのまま処理を終了する。
【００４８】
一方、フリーズフラグＦがセットされており、フリーズ中であると判別した場合、即ち、フリーズの解除が指示されたと判別した場合には（ステップＳ３９：ＹＥＳ）、第１フレームメモリに格納されているフレーム画像（今まで投影されていた画像）の画像データと現在供給されている画像データとを用いて、画像効果を施した転換用画像の画像データを生成し、フレームバッファ４０に展開する（ステップＳ４０）。
【００４９】
次に、画像切替処理が終了したか否かを判別し（ステップＳ４１）、終了していなければ（ステップＳ４１：ＮＯ)、ステップＳ４０にリターンして、同様の動作を繰り返す。
【００５０】
これにより、例えば、第１フレームバッファに記憶されている切り替え前の画像（今まで固定投影されていた画像）を（１００−Ｍ）％と現在供給されている画像をＭ％で混合して転換用画像を生成し、Ｍの値を０から１００まで順次増加させながら転換用画像を生成して投影するといった処理が可能となる。
【００５１】
画像切替処理が終了したと判別した場合は（ステップＳ４１：ＹＥＳ）、フリーズフラグＦをリセットし（ステップＳ４２）、さらに、第１及び第２フレームメモリをリセットし（ステップＳ４３）、処理を終了する。
【００５２】
以上説明したように、本実施の形態２に係るプロジェクタ装置１によれば、フリーズ中に、再フリーズまたはフリーズ解除の指示を受け付けた際に、画像効果を施した転換用画像を投影することで、視覚効果の高いプレゼンテーションを実現することが可能となる。
【００５３】
（実施の形態３）
上記第１及び第２の実施形態においては、フリーズ及びフリーズの解除を、ユーザが自ら指示する例を説明したが、フリーズ及び／又はフリーズ解除を自動的に設定することも可能である。例えば、外部装置の表示画像が変化中（例えば、マウスポインタの移動中）は投影画像をフリーズし、その後、外部装置の表示映像が静止すると、静止映像を固定表示するといった処理を実行するようにすることも可能である。
【００５４】
以下、このような機能を備えるプロジェクタ装置１について説明する。
実施の形態３に係るプロジェクタ装置１の構成と基本動作は、実施の形態２に係るプロジェクタ装置１と同一である。
【００５５】
そこで、以下、制御部３０の本実施の形態において特徴的な動作を説明する。
【００５６】
制御部３０のプロセッサ３１は、フリーズフラグＦがセットされると、時分割処理等により、図８に示すフリーズ中処理を、図３及び図４に示す主処理と並行して実行する。フリーズ中処理を開始すると、プロセッサ３１は、内部タイマを起動する（ステップＳ５１）。
【００５７】
次に、現在供給されている画像データを１フレーム分取りこみ、第１フレームメモリに格納する（ステップＳ５２）。次に、今回保存したフレーム画像と１フレーム前のフレーム画像との差分画像を求め、差分画像から、画像の変化の有無を判別する（ステップＳ５３）。画像の変化があると判別した場合には（ステップＳ５４：ＹＥＳ）、ステップＳ５１にリターンする。なお画像の変化の有無の判別は厳密である必要はなく、変化の程度が所定の範囲内であれば、画像の変化はないと判別するよう構成してもよい。
【００５８】
一方、差分画像から画像の変化がないと判別した場合（ステップＳ５４：ＮＯ）、タイマの計測時間が所定時間ＴＤに達したか否かを判別する（ステップＳ５５）。即ち、画像が変化しない状態が所定時間ＴＤ以上継続したか否かを判別する。タイマの計測時間が所定時間ＴＤに達していないと判別した場合には（ステップＳ５５：ＮＯ）、ステップＳ５２にリターンし、上述と同様の動作を繰り返す。
【００５９】
タイマの計測時間が所定時間ＴＤに達していると判別した場合には（ステップＳ５５：ＹＥＳ）、投影中の画像とステップＳ５２で今回取り込んだ画像データとの差分画像を求め、投影中の画像とステップＳ５２で今回取り込んだ画像データが同一か否かを判別する（ステップＳ５６）。同一であると判別した場合には（ステップＳ５６：ＹＥＳ）、ステップＳ５１にリターンする。
【００６０】
一方、投影中の画像と入力画像とが異なると判別した場合（ステップＳ５６：ＮＯ）、ステップＳ５２で今回取り込んだ画像データから生成した投影データを投影バッファ４０に展開する（ステップＳ５７）。その後、ステップＳ５１にリターンして、上述と同様の動作を繰り返す。
【００６１】
上述の動作を具体例を参照して説明する。
図９に示すように、タイミングＴｆでフリーズボタン２０Ａを押下することでフリーズを指示して投影画像を固定した後、外部装置上で次の表示画像を編集し（この間、外部装置の表示画像は変化する）、編集がタイミングＴｇで終了したと仮定する。
【００６２】
この場合、タイミングＴｆからＴｇの間は、外部装置の表示画像が変動し、図８のステップＳ５４でＹＥＳと判別されるため、タイミングＴｆでプロジェクタ装置１に供給されていた画像が固定的に投影され続ける。
【００６３】
タイミングＴｇで編集が終了した後、外部装置の操作者が表示画像を編集しなかったとすると、タイミングＴｇから所定の時間ＴＤが経過したタイミングＴｈで、入力画像に変化がなく（ステップＳ５４：ＮＯ）、タイマの計測時間が所定時間ＴＤに達し（ステップＳ５５：ＹＥＳ）、さらに、投影中の画像（タイミングＴｆでプロジェクタ装置１に供給されていた画像）とその時点でプロジェクタ装置１に供給されている画像とは異なっている（ステップＳ５６：ＮＯ）と判別される。したがって、制御部３０は、タイミングＴｈでプロジェクタ装置１に供給されていた画像に１フレーム分に必要な処理を施して投影データを生成し、投影バッファ４０に展開する（ステップＳ５７）。これにより、編集終了後の画像が自動的に投影バッファ４０に展開され、固定的に投影される。
【００６４】
このように、本実施の形態によれば、投影画像をフリーズしている間にユーザが次の投影画像の準備をし、準備を完了した場合に、自動的に次の画像を投影する、といった動作が可能となる。
【００６５】
本発明の実施の形態は上述の実施の形態に限られず、上述の実施の形態のうち複数の形態を任意に組み合わせたもので構成してもよい。
【００６６】
また、前記のハードウェア構成やフローチャートは一例であり、任意に変更および修正が可能である。
【００６７】
例えば、理解を容易にするため、フリーズボタン２０Ａ、フリーズ解除ボタン２０Ｂを操作部２０に配置する例を示したが、リモコンなどにこれらのボタンを配置してもよい。また、フリーズボタン２０Ａとは別に、フリーズ中の再フリーズを指示するための「再フリーズ」ボタンを配置してもよい。また、複数ボタンの組み合わせにより、フリーズ、再フリーズ／フリーズ解除を指示するようにしてもよく、或いは、画面のタッチ操作等の他の任意のユーザインタフェースを介してこれらを指示するようにしてもよい。
【００６８】
また、実施の形態２および３では、通常の投影処理を行う制御部３０により、画像転換処理、フリーズ中制御を合わせて実行するように構成したが、画像転換処理専用のプロセッサ（切り替え効果部）や、フリーズ中制御専用のプロセッサ等によりこれらの処理を実行してもよい。
【００６９】
また、プロセッサとソフトウエアの協働によりこれらの処理・機能を実現するだけでなく、ＡＳＩＣ（Application Specific Integrated Circuit）、ＦＰＧＡ（Field Programmable Gate Array）等のハードウエアにより、これらの処理・機能を実現してもよい。プロジェクタ装置１の画像受信部１０、操作部２０，投影バッファ４０、および投影部５０等は、既知の任意の構成を使用可能である。
【００７０】
フリーズの指示により、固定して投影する画像は、フリーズが指示されたタイミングで供給されていた入力画像（画像データ）に限定されない。フリーズの指示に応答して投影の対象として特定した入力画像を、フリーズが指示された時点の入力画像（画像データ）として扱うものとする。
【００７１】
なお、プロセッサ３１に前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、前記コンピュータプログラムを制御部３０にインストールすることにより、前記の処理を実行するプロジェクタ装置１を構成してもよい。また、インターネットなどの通信ネットワーク上のサーバ装置が有する記憶装置に前記コンピュータプログラムを格納しておき、通常のコンピュータシステムがダウンロードなどすることでプロジェクタ装置１を構成してもよい。
【００７２】
また、プロジェクタ装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７３】
本発明のいくつかの実施形態を説明したが、本発明は特許請求の範囲に記載された発明とその均等の範囲に含まれる。以下に、本願出願の当初の特許請求の範囲に記載された発明を付記する。
【００７４】
（付記１）
入力画像を受信する受信手段と、
前記受信手段で受信した入力画像を投影する投影手段と、
前記投影手段による投影画像を固定するフリーズの指示を受け付ける受付手段と、
を備え、
前記投影手段は、前記受付手段で前記フリーズの指示を受け付けた場合に、投影画像をその時点の入力画像に固定し、画像の固定投影中に前記フリーズの指示を受け付けた場合には、投影中の画像に代えて、前記フリーズの指示を受け付けた後の所定の入力画像を固定して投影する、
ことを特徴とするプロジェクタ。
【００７５】
（付記２）
投影中の画像と所定の入力画像とに基づいて転換用画像を生成する転換画像生成手段をさらに備え、
前記投影手段は、
画像の固定投影中にフリーズの指示を受け付けた場合に、前記転換画像生成手段により投影中の画像と前記フリーズの指示を受け付けた後の所定の入力画像とに基づいて生成された転換用画像を投影した後、入力画像を固定して投影する、
ことを特徴とする付記１に記載のプロジェクタ。
【００７６】
（付記３）
フリーズの解除の指示を受け付ける解除受付手段をさらに備え、
前記投影手段は、
画像の固定投影中にフリーズの解除の指示を受け付けた場合に、前記転換画像生成手段により投影中の画像と入力画像とに基づいて生成された転換用画像を投影した後、入力画像を投影する、
ことを特徴とする付記２に記載のプロジェクタ。
【００７７】
（付記４）
前記受付手段でフリーズの指示を受け付けた後、所定の時間以上、前記入力画像が変化しておらず且つ投影画像と所定の時間以上変化していない前記入力画像とが異なるかどうかを判定する判定手段をさらに備え、
前記投影手段は、前記判定手段が、前記入力画像が所定の時間以上変化しておらず且つ投影中の画像と所定の時間以上変化していない入力画像とが異なると判定した場合に、当該入力画像を固定して投影する、
ことを特徴とする付記１、２または３に記載のプロジェクタ。
【００７８】
（付記５）
投影装置を制御するコンピュータに、
投影画像を固定するフリーズの指示を受け付け、受け付けたフリーズの指示に応答して、投影画像を前記フリーズの指示を受け付けた後の所定の入力画像に固定し、画像の固定投影中にフリーズの指示を受け付けた場合には、投影中の画像に代えて、前記画像の固定投影中にフリーズの指示を受け付けた後の所定の入力画像を固定して投影する、
処理を実行させるコンピュータプログラム。
【符号の説明】
【００７９】
１・・・プロジェクタ装置、１０・・・画像受信部、２０・・・操作部、３０・・・制御部、４０・・・投影バッファ、５０・・・投影部
【図１】
2013079989.tif 000003
【図２】
2013079989.tif 000004
【図３】
2013079989.tif 000005
【図４】
2013079989.tif 000006
【図５】
2013079989.tif 000007
【図６】
2013079989.tif 000008
【図７】
2013079989.tif 000009
【図８】
2013079989.tif 000010
【図９】
2013079989.tif 000011